(57)【特許請求の範囲】
【請求項１】
自動車の内装品となる収容装置であって、本体に引き出し可能に納められるスライド部材に、電子機器を着脱可能に保持するホルダー部材を備えており、
ホルダー部材に電子機器を保持させた状態でのスライド部材の本体内への格納が可能となっており、
しかも、ホルダー部材の一端側は、スライド部材に軸支されていると共に、ホルダー部材の他端側は、リンク部材の一端側に軸支されており、
このリンク部材の他端側は、サポート部材の一端側にスライド移動可能に支持されていると共に、このサポート部材の他端側は、ホルダー部材に軸支されており、
スライド部材を引き出すと、ホルダー部材は他端を上方にして起立されると共に、引き出されたスライド部材を押し込む過程においてサポート部材が倒されてホルダー部材が伏倒するようになっていることを特徴とする電子機器の収容装置。
【請求項２】
ホルダー部材に、このホルダー部材に保持された電子機器に接続されて、この電子機器と自動車に内装された他の電子機器とを接続させるコネクタ部が備えられていることを特徴とする請求項１に記載の電子機器の収容装置。
【請求項３】
リンク部材に、起立されたホルダー部材に保持された電子機器の操作によりホルダー部材が下方に押し込まれたときに、サポート部材の一端に上方から突き当たる係当部が備えられていることを特徴とする請求項１に記載の電子機器の収容装置。
【発明の詳細な説明】
【技術分野】
【０００１】
この発明は、自動車の内装品となって、車室内において電子機器を利用しやすい状態に着脱可能に保持する装置の改良に関する。
【背景技術】
【０００２】
自動車の車室内においてＭＰ３プレーヤーを保持するスタンド状をなす装置として、特許文献１に示されるものがある。かかるスタンドはインストルメントパネル上に起立状態に固定されるなどして用いられるものとなっている。しかるに、かかる装置は、ＭＰ３プレーヤーを利用しない場合や、あるいは利用はしているが操作を要しない場合であっても簡単には片づけることができず、取り外した場合、その取り外し箇所に取り付け用のネジなどの痕を残すものであり、また、その構造からして前記のようにインストルメントパネル上に設けられるものであるため運転者の視界の妨げなどになり易いものであった。また、こうしたことから、かかる装置によって保持するようにした場合、保持されたＭＰ３プレーヤーの存在は車外から認識されやすいため、駐車時の盗難の惹起を懸念させるところでもある。
【特許文献１】特表２００５−５３９４６９号公報
【発明の開示】
【発明が解決しようとする課題】
【０００３】
この発明が解決しようとする主たる問題点は、この種の電子機器の収容装置において、車室内において電子機器を操作しやすい状態で保持できるようにすると共に、電子機器を利用しない場合や、あるいは利用はしているが操作を要しない場合に、電子機器を保持させたままの状態で例えばインストルメントパネルなどの内方にこれを容易に収納させることができるようにする点にある。
【課題を解決するための手段】
【０００４】
前記課題を達成するために、この発明にあっては、電子機器の収容装置を、自動車の内装品となる収容装置であって、本体に引き出し可能に納められるスライド部材に、電子機器を着脱可能に保持するホルダー部材を備えており、ホルダー部材に電子機器を保持させた状態でのスライド部材の本体内への格納を可能なものとした。かかる収容装置によれば、スライド部材を引き出させた状態において、車室内において電子機器を利用しやすい状態に着脱可能に保持することができると共に、これを利用しないか、あるいは操作しないときはインストルメントパネルなどの内方にこの電子機器を容易に収納させることができる。
【０００５】
ホルダー部材に、このホルダー部材に保持された電子機器に接続されて、この電子機器と自動車に内装された他の電子機器とを接続させるコネクタ部を備えさせておくこともある。このようにした場合、例えば、収容装置に保持させた電子機器としての例えば携帯型デジタル音楽プレイヤーとカーオーディオ装置とを接続させてかかるプレイヤーに記録させた音楽などをカーオーディオ装置のスピーカーを利用して車室内で聞けるようにすることができる。
【０００６】
前記ホルダー部材の一端側を、スライド部材に軸支させると共に、ホルダー部材の他端側を、リンク部材の一端側に軸支させ、
このリンク部材の他端側を、サポート部材の一端側にスライド移動可能に支持させると共に、このサポート部材の他端側を、ホルダー部材に軸支させ、
スライド部材を引き出すと、ホルダー部材は他端を上方にして起立されると共に、引き出されたスライド部材を押し込む過程においてサポート部材が倒されてホルダー部材が伏倒するようにしておくこともある。
【０００７】
このようにした場合、本体からスライド部材を引き出させることにより、電子機器を保持したホルダー部材を起立させて保持された電子機器を操作しやすい状態にすることができると共に、スライド部材を本体内に押し込むことによりホルダー部材を伏倒させて電子機器共々本体内に格納させることができる。
【０００８】
前記リンク部材に、起立されたホルダー部材に保持された電子機器の操作によりホルダー部材が下方に押し込まれたときに、サポート部材の一端に上方から突き当たる係当部を備えさせておくこともある。
【０００９】
このようにした場合、かかる係当部によって、ホルダー部材に保持された電子機器の操作によりホルダー部材にこれを伏倒させる向きの力が作用されたときに、リンク部材のスライド移動を阻止することができ、これによりこうしたときにホルダー部材の伏倒を生じさせることがない。
【発明の効果】
【００１０】
この発明にかかる収容装置は、車室内に備えられる引き出し的に機能することから、スライド部材を引き出させた状態において保持させた電子機器を利用しやすく、また、これを利用しないか、あるいは操作しないときはインストルメントパネルなどの内方に保持させた電子機器共々を容易に収納させることができる。
【発明を実施するための最良の形態】
【００１１】
以下、図１〜図６に基づいて、この発明を実施するための最良の形態について説明する。
【００１２】
なお、ここで図１は実施の形態にかかる収容装置の本体１から引き出されたスライド部材２に備えられたホルダー部材３に電子機器Ｃを保持させた状態を、図２は電子機器Ｃを取り外した状態を、図３はスライド部材２をその前板２ａと反対の側から見て、それぞれ示している、また、図４は図１の状態の要部を収容装置を一部断面にして、図５は本体１内に図４の状態よりもスライド部材２の後端側を多く入り込ませたときの様子を、それぞれ示している。また、図６は収容装置のスライド部材２の構成の一部を変更させた例を示している。
【００１３】
この実施の形態にかかる電子機器Ｃの収容装置は、自動車の内装品となって、車室内において電子機器Ｃを利用しやすい状態に着脱可能に保持すると共に、これを利用しないか、あるいは操作しないときはインストルメントパネルＰなどの内方にこの電子機器Ｃを容易に収納できるようにしたものである。
【００１４】
かかる収容装置は、典型的には、車室内において、携帯型デジタル音楽プレイヤー、液晶ディスプレイ、携帯電話、カーナビゲーションなどの電子機器Ｃを取り外し可能に保持させるために用いられる。
【００１５】
図示の例では、かかる収容装置は、インストルメントパネルＰに内蔵して用いるのに適した構造を備えている。
【００１６】
かかる収容装置は、本体１と、この本体１に引き出し可能に納められるスライド部材２とを備えてなる。そして、このスライド部材２に電子機器Ｃを着脱可能に保持するホルダー部材３を備えており、このホルダー部材３に電子機器Ｃを保持させた状態でのスライド部材２の本体１内への格納が可能となっている。
【００１７】
図示の例では、かかる本体１は、箱前端１ａを開放させると共に横方向に幅広の扁平な箱状体として構成されている。そして、インストルメントパネルＰに形成させた取り付け開口Ｐａに箱後端側から入れ込まれ、このインストルメントパネルＰの表面側に箱前端１ａを位置させるようにして、取り付けられるようになっている。（図４）
【００１８】
一方、図示の例では、スライド部材２は、本体１の左右側壁１ｂ、１ｂ間に隙間少なく収まる横幅を備えたトレイ状をなすように構成されている。スライド部材２の前端には前板２ａが備えられ、また、スライド部材２の前後方向に亘る両側縁部には、この縁部に沿った立ち上がり部２ｃが形成されている。この立ち上がり部２ｃの外面側には、前後方向に長く延びるガイド溝２ｄが形成されており、このガイド溝２ｄに本体１の側壁１ｂに形成させた図示しないガイド突部を入れ込ませることで、スライド部材２は本体１の内側にあって前後方向へのスライド移動可能、つまり、引き出しと押し込み可能に、本体１に組み合わされている。図示の例では、スライド部材２は本体１内に、その前板２ａの表面がインストルメントパネルＰの表面と略同面となる位置まで押し込むことができるようになっている。このスライド部材２には、図６に示されるように、その後端側に、スライド部材２を引き出しきったときに本体１側に掛合して本体１からのスライド部材２の抜け出しを阻止する抜け止め爪１ｄを備えさせておくと共に、操作によりこの抜け止め爪１ｄの掛合を解除して本体１からスライド部材２を取り外せるようにしておくこともある。図６に示される例では、本体１の左右両側にそれぞれ抜け止め爪１ｄが備えられている。この抜け止め爪１ｄは上下方向にスライド移動可能にスライド部材２に支持されたブロック状体１ｅの上面１ｆに備えられている。このブロック状体１ｅの前方には付勢に抗して後方に押し込み可能な操作体１ｇが備えられていると共に、この操作体１ｇとブロック状体１ｅとは、操作体１ｇを押し込まない状態ではブロック状体１ｅの下降を操作体１ｇによって阻止し、操作体１ｇを押し込んだ状態ではブロック状体１ｅの下降を許容する図示しない連係構造によって連係されている。スライド部材２を本体１から引き出しきった状態から操作体１ｇを付勢に抗して押し込むとブロック状体１ｅの下降が許容されることから、この状態からスライド部材２を引き出す方向に引っ張ると前記掛合が解かれて本体１からスライド部材２を取り外すことができる。これにより、スライド部材２側の、あるいはまた本体１側のメンテナンスを容易に行うことができる。
【００１９】
また、図示の例では、ホルダー部材３は、スライド部材２の上面部２ｅであって、前板２ａと立ち上がり部２ｃとに囲まれた空間内において、このスライド部材２に支持されるようになっている。
【００２０】
かかるホルダー部材３は、図示の例では、上面を電子機器Ｃの載置面３ａとした板状をなすように構成されている。ホルダー部材３は、スライド部材２の左右立ち上がり部２ｃ、２ｃ間に隙間少なく収まる横幅を備えると共に、前後方向に長い略長方形状をなす。そして、ホルダー部材３は、スライド部材２の前板２ａの裏面側にその幅方向に亘る前辺３ｂ側、すなわち、一端部を近接させるようにして、スライド部材２上に配されている。ホルダー部材３の前辺３ｂには、この前辺３ｂに亘って上方に突き出す前部支持部３ｃが形成されていると共に、ホルダー部材３の左右両辺には、この前部支持部３ｃに続いてこの両辺の前後方向略中程の位置まで続く左右支持部３ｄ、３ｄが形成されている。ホルダー部材３の左右支持部３ｄ、３ｄにおける前端側にはそれぞれ、その外面からこれに直交する向きに突き出す軸突部３ｅが形成されており、ホルダー部材３は右側の軸突部３ｅをスライド部材２の右側の立ち上がり部２ｃの内側に形成された軸穴２ｆに入れ込ませ、かつ、左側の軸突部３ｅをスライド部材２の左側の立ち上がり部２ｃの内側に形成された軸穴２ｆに入れ込ませることで、その前辺３ｂ側においてスライド部材２に、スライド部材２の移動方向ｘに直交する左右方向ｙに沿った軸線を中心とした回動可能に組み付けられている。ホルダー部材３の左右支持部３ｄ、３ｄの内側にはそれぞれ、下端を載置面３ａに一体に連接させて上方に突き出すと共に、左右支持部３ｄ、３ｄの内面に湾曲外側の外面を向けるようにして湾曲された弾性片３ｆが備えられており、図示の例では、一対の弾性片３ｆ、３ｆ間にこの弾性片３ｆを外向きに弾性変形させながら入れ込まれる横幅を備えた電子機器Ｃをこの一対の弾性片３ｆ、３ｆによってしっかりと保持できるようになっている。（図１）
【００２１】
図示の例では、ホルダー部材３の載置面３ａに収まる幅広の表裏面Ｃａ、Ｃｂを備えると共に、この表裏面Ｃａ、Ｃｂ間の厚さを載置面３ａと前部支持部３ｃ及び左右支持部３ｄ、３ｄの上端との間隔以下とする電子機器Ｃを、その裏面Ｃｂを載置面３ａに接しさせた状態でホルダー部材３上に保持させるようになっている。図示の例では、ホルダー部材３の後辺３ｈにこのように載置される電子機器Ｃの上部保持部３ｍが突設されている。この上部保持部３ｍの内側面と載置面３ａとは、保持される電子機器Ｃの外形に倣ったアール面３ｋによって連続されている。
【００２２】
図示の例では、かかるホルダー部材３に、このホルダー部材３に保持された電子機器Ｃに接続されて、この電子機器Ｃと自動車に内装された他の電子機器Ｃとを接続させるコネクタ部３ｇが備えられている。具体的には、図示の例では、ホルダー部材３の前部支持部３ｃの内側に、図示しない機器側コネクタ部をこの前部支持部３ｃ側に向けて前記のように保持される電子機器Ｃのこの機器側コネクタ部に接続されるコネクタ部３ｇが備えられている。（図２）これにより、図示の例では、収容装置に保持させた電子機器Ｃとしての例えば携帯型デジタル音楽プレイヤーとカーオーディオ装置とを接続させてかかるプレイヤーに記録させた音楽などをカーオーディオ装置のスピーカーを利用して車室内で聞けるようになっている。
【００２３】
かかるホルダー部材３の後辺３ｈ側、すなわち、他端側は、リンク部材４の一端側４’に軸支されている。そして、このリンク部材４の他端側４”は、サポート部材５の一端側５’に回動可能でかつスライド移動可能に支持されていると共に、このサポート部材５の他端側５”は、ホルダー部材３に軸支されている。そして、スライド部材２を引き出すと、ホルダー部材３は他端を上方にして起立されると共に、引き出されたスライド部材２を押し込む過程においてサポート部材５が倒されてホルダー部材３が伏倒するようになっている。
【００２４】
図示の例では、ホルダー部材３の後辺３ｈ側には、この後辺３ｈから後方に突き出す一対のブラケット部３ｉ、３ｉが形成されている。リンク部材４は、この一対のブラケット部３ｉ、３ｉ間に収まる幅の板状をなすように構成されている。そして、リンク部材４は、この一対のブラケット部３ｉ、３ｉに形成された軸穴３ｊに通された軸４ａを介して、その一端をホルダー部材３の他端側に、スライド部材２の移動方向ｘに直交する左右方向ｙに沿った軸線を中心とした回動可能に組み付けさせている。
【００２５】
一方、図示の例では、サポート部材５は、スライド部材２の後端側において、スライド部材２の上面部２ｅに左右方向に間隔を開けて形成された一対のブラケット部２ｇ、２ｇ間に収まる幅の他端を備えた板状をなすように構成されている。そして、サポート部材５は、この一対のブラケット部２ｇ、２ｇに形成された軸穴２ｈに通された軸５ｄを介して、その他端をスライド部材２の後端側において、このスライド部材２の移動方向ｘに直交する左右方向ｙに沿った軸線を中心とした回動可能に組み付けさせている。
【００２６】
このサポート部材５の一端側５’には、リンク部材４を隙間少なく納める間隔を開けて上方に突き出す一対のガイド部５ａ、５ａが形成されていると共に、このガイド部５ａにはサポート部材５の一端側５’から他端側５”に向けて続く長穴状をなすガイド穴５ｂが形成されている。リンク部材４の他端であってその左右両側にはそれぞれこのガイド穴５ｂに収まる摺動軸４ｂが形成されており、リンク部材４はその他端側４”をサポート部材５の一対のガイド部５ａ、５ａ間に納め、かつ、左右の摺動軸４ｂをそれぞれ対応するガイド穴５ｂに摺動可能に入れ込ませて、サポート部材５の上面上に配されている。
【００２７】
図示の例では、ホルダー部材３は、バネ一端をホルダー部材３の裏面に接しさせ、かつ、バネ他端をスライド部材２の上面部２ｅに接しさせるようにして、両者の間に配された第一のねじりコイルバネ２ｉによって、その他端側をスライド部材２から離させる向きに常時付勢されている。また、サポート部材５も、バネ一端をサポート部材５の裏面に接しさせ、かつ、バネ他端をスライド部材２の上面部２ｅに接しさせるようにして、両者の間に配された第二のねじりコイルバネ２ｊによって、その一端側をスライド部材２から離させる向きに常時付勢されている。
【００２８】
本体１内にスライド部材２が押し込まれ切った状態では、サポート部材５はスライド部材２の上面部２ｅに平行をなすように伏倒され、ホルダー部材３もこのように伏倒されたサポート部材５の上方あってスライド部材２の上面部２ｅに平行をなすように伏倒され、リンク部材４はその一端側４’を後方に他端側４”を前方に向けるようにして両者の間に挟まれ、その摺動軸４ｂをガイド穴５ｂの長さ方向略中程に位置させるようになっている。（図５）このとき後述する係当部４ｃは上を向いてホルダー部材３の左右ブラケット部間に収まるようになっている。この状態から、スライド部材２を引き出させると、前記第一及び第二のねじりコイルバネ２ｉ、２ｊの付勢によって、ホルダー部材３は後方に向かうに連れて斜め上がりになるように起立回動され、サポート部材５は前方に向かうに連れて斜め上がりになるように起立回動され、これに伴ってリンク部材４はその他端側４”を後方に向けるように回動されながらホルダー部材３の起立によりその摺動軸４ｂをガイド穴５ｂの前端に位置させる位置までスライド移動されるようになっている。（図４）図示の例では、スライド部材２が引き出されることにより、ホルダー部材３の他端側は、スライド部材２の立ち上がり部２ｃの突きだし端より高い位置に移動されるようになっており、この状態においてこのホルダー部材３に保持された電子機器Ｃの上方からの操作がしやすくなっている。
【００２９】
サポート部材５とスライド部材２との回動組み付け位置の後方には、下端をスライド部材２にこのスライド部材２の移動方向ｘに直交する左右方向ｙに沿った軸線を中心とした回動可能に組み付けさせると共に、起立されたサポート部材５の上面に前方に向いたレバー端６ａを後方から押し当てさせたレバー体６が備えられていると共に、本体１の箱前端１ａの上部には、引き出しきられたスライド部材２の押し込みの過程でこのレバー体６の上側後部に後方から突き当たってこのレバー体６を倒し込ませるカム部１ｃが備えられている。図示の例では、引き出されたスライド部材２を本体１内に押し込ませると、このように倒し込まれるレバー体６によってサポート部材５が第二のねじりコイルバネ２ｊの付勢に抗して伏倒され、これによりサポート部材５を介してホルダー部材３も第一のねじりコイルバネ２ｉの付勢に抗して伏倒され、リンク部材４は摺動軸４ｂをガイド穴５ｂの後端に向けて摺動させながらその他端側４”を前方に向けるように回動される。（図５）
【００３０】
この実施の形態にあっては、かかる構成により、本体１からスライド部材２を引き出させることにより、電子機器Ｃを保持したホルダー部材３を起立させて保持された電子機器Ｃを操作しやすい状態にすることができると共に、スライド部材２を本体１内に押し込むことによりホルダー部材３を伏倒させて電子機器Ｃ共々本体１内に格納させることができるようになっている。
【００３１】
また、図示の例では、リンク部材４に、起立されたホルダー部材３に保持された電子機器Ｃの操作によりホルダー部材３が下方に押し込まれたときに、サポート部材５の一端に上方から突き当たる係当部４ｃが備えられている。具体的には、リンク部材４の一端と他端との間であって、スライド部材２が引き出されてホルダー部材３が起立されたときに下側に位置される面側に、このときにサポート部材５の一端面５ｃの直上に位置される突状をなす係当部４ｃが備えられている。この実施の形態にあっては、かかる係当部４ｃによって、ホルダー部材３に保持された電子機器Ｃの操作によりホルダー部材３にこれを伏倒させる向きの力が作用されたときに、リンク部材４のスライド移動を阻止することができ、これによりこうしたときにホルダー部材３の伏倒を生じさせることがないようになっている。かかる係当部４ｃは、左右方向ｙに沿ったリブ状をなすように構成されている。また、かかる係当部４ｃの突きだし端には、前記ホルダー部材３の起立時に、このリンク部材４の下側に位置される面との間にサポート部材５の一端部を納める間隔を開けて下方に突き出す爪部４ｄが形成されており、起立されたホルダー部材３に保持された電子機器Ｃの操作によりホルダー部材３が下方に押し込まれたときに、サポート部材５の一端に係当部４ｃが引っかかるようになっている。
【図面の簡単な説明】
【００３２】
【図１】収容装置の斜視構成図
【図２】収容装置の斜視構成図
【図３】スライド部材２の斜視構成図
【図４】収容装置の要部破断側面構成図
【図５】収容装置の要部破断側面構成図
【図６】スライド部材２の構成の一部を変更させた例を示す斜視構成図
【符号の説明】
【００３３】
Ｃ  電子機器
１  本体
２  スライド部材
３  ホルダー部材
【図１】
0005017149.tif 000002
【図２】
0005017149.tif 000003
【図３】
0005017149.tif 000004
【図４】
0005017149.tif 000005
【図５】
0005017149.tif 000006
【図６】
0005017149.tif 000007